(57)【要約】【課題】防煙たれ壁の防煙パネルにおいて、シワや撓みの発生を防止するための防煙シートへのテンション付与作業を習熟度等に関係なく誰でも正確かつスムーズに行うことができる構成及び組立方法を提供すること。【解決手段】防煙たれ壁に用いられる防煙パネル１は、可撓性を有する防煙シート２と、防煙シート２の上端部又は下端部を固定する横枠３，４と、防煙シート２の側端部を固定し、横枠３，４とコーナーを形成する縦枠５と、横枠３，４及び縦枠５の一方である縦枠５の端部に形成されたネジ孔５ａに挿入された状態で横枠３，４及び縦枠５の他方である横枠３，４の端部に形成されたネジ穴３ａ，４ａに螺合されていることで、横枠３，４及び縦枠５の一方である縦枠５を他方である横枠３，４に締結しているネジ６と、横枠３，４と縦枠５の間でネジ６よりもコーナーの内側寄りに位置するように挿入される調整板７と、を備える。【選択図】図１
2019017841.tif 000002
【特許請求の範囲】
【請求項１】
防煙たれ壁に用いられる防煙パネルであって、
可撓性を有する防煙シートと、
前記防煙シートの上端部又は下端部を固定する横枠と、
前記防煙シートの側端部を固定し、前記横枠とコーナーを形成する縦枠と、
前記横枠及び前記縦枠の一方の端部に形成された締結孔に挿入された状態で前記横枠及び前記縦枠の他方の端部に形成された締結穴に螺合されていることで、前記横枠及び前記縦枠の一方を他方に締結している締結部材と、
前記横枠と前記縦枠の間で前記締結部材よりも前記コーナーの内側寄りに位置するように挿入される調整部材と、
を備える防煙パネル。
【請求項２】
前記調整部材は、平板状又はシート状の形状を有すると共に、前記横枠及び前記縦枠の間に挿入されている部分の長さが、前記締結部材に突き当たる長さ、又は前記締結部材に突き当たる手前までの長さである請求項１に記載の防煙パネル。
【請求項３】
前記調整部材は、一端部が薄く他端部に向かって厚くなる楔形で、かつ、前記一端部に切欠きが形成されている形状を有すると共に、前記一端部の側から前記横枠及び前記縦枠の間に挿入されていることで、前記切欠きの内側に前記締結部材を配置させている請求項１に記載の防煙パネル。
【請求項４】
請求項１〜３のいずれかに記載の防煙パネルを組み立てる組立方法であって、
前記横枠及び前記縦枠の一方を他方に前記締結部材で締結する工程と、
前記横枠及び前記縦枠に前記防煙シートを固定する工程と、
前記締結部材を緩めて前記横枠及び前記縦枠の間に隙間を形成する工程と、
前記横枠と前記縦枠によって形成されるコーナーの内側から前記隙間に前記調整部材を挿入する工程と、
前記横枠及び前記縦枠の一方を他方に前記締結部材で締結し直す工程と、を含む組立方法。
【発明の詳細な説明】
【技術分野】
【０００１】
本発明は、防煙たれ壁に用いられる防煙パネルに関する。
【背景技術】
【０００２】
従来、可撓性を有する防煙シートを有する防煙パネルによって防煙区画を形成する防煙たれ壁において、不燃性の防煙シートの四方を枠材で固定し、矩形状にしたものが多く市場投入されている。四方を枠で固定した構造においても、製造時に防煙シートにシワや撓みが生じることがある。このようなシワや撓みの発生を防止するために、製造時に防煙シートを引っ張って防煙シートに張力を与える構造を有するものが知られている。この種の防煙たれ壁を開示するものとして例えば特許文献１や特許文献２がある。
【０００３】
特許文献１や特許文献２の構成では、横枠に縦枠を締結する結合ねじ（タッピングねじ又は木ねじ等）に並列で取り付けるように、縦枠に調整ねじ（止めねじ）をねじ込むことで調整ねじを横枠の端部に当接させながら縦枠と横枠との間に適切なクリアランスを設ける。その後、結合ねじを締め付けることで調整ねじの先端を支点として縦枠及び横枠が相対的に広がるので、防煙シートに張力を与える。
【先行技術文献】
【特許文献】
【０００４】
【特許文献１】特開２０１６−１２９５８２号公報
【特許文献２】特開２０１６−０７７３１１号公報
【発明の概要】
【発明が解決しようとする課題】
【０００５】
特許文献１や特許文献２に記載されている構造では、調整ねじをねじ込むことで縦枠と横枠との間にクリアランスを設ける構成になっているため、調整ねじをねじ込む量に人為的なバラツキが生じてしまう。例えば、作業者の作業の習熟度によっては、防煙シートに張力が適切に付与されない状態となってしまうことが考えられる。作業者が、熟練度によらず安定して防煙シートを張ることができるような組立性の向上という点で改善の余地があった。
【０００６】
本発明は、防煙たれ壁の防煙パネルにおいて、シワや撓みの発生を防止するための防煙シートへのテンション付与作業を習熟度等に関係なく誰でも正確かつスムーズに行うことができる構成及び組立方法を提供することを目的とする。
【課題を解決するための手段】
【０００７】
防煙たれ壁に用いられる防煙パネル（例えば、後述の防煙パネル１，１１）であって、可撓性を有する防煙シート（例えば、後述の防煙シート２）と、前記防煙シートの上端部又は下端部を固定する横枠（例えば、後述の横枠３，４）と、前記防煙シートの側端部を固定し、前記横枠とコーナーを形成する縦枠（例えば、後述の縦枠５）と、前記横枠及び前記縦枠の一方の端部に形成された締結孔（例えば、後述のネジ孔５ａ）に挿入された状態で前記横枠及び前記縦枠の他方の端部に形成された締結穴（例えば、後述のネジ穴３ａ，４ａ）に螺合されていることで、前記横枠及び前記縦枠の一方を他方に締結している締結部材（例えば、後述のネジ６）と、前記横枠と前記縦枠の間で前記締結部材よりも前記コーナーの内側寄りに位置するように挿入される調整部材（例えば、後述の調整板７，１７）と、を備える防煙パネルに関する。
【０００８】
前記調整部材は、平板状又はシート状の形状を有すると共に、前記横枠及び前記縦枠の間に挿入されている部分の長さが、前記締結部材に突き当たる長さ、又は前記締結部材に突き当たる手前までの長さであることが好ましい。
【０００９】
前記調整部材は、一端部が薄く他端部に向かって厚くなる楔形で、かつ前記一端部に切欠き（例えば、後述の切欠き１７ａ）が形成されている形状を有すると共に、前記一端部の側から前記横枠及び前記縦枠の間に挿入されていることで、前記切欠きの内側に前記締結部材を配置させていることが好ましい。
【００１０】
上記の防煙パネルを組み立てる組立方法であって、前記横枠及び前記縦枠の一方を他方に前記締結部材で締結する工程（例えば、後述の締結工程Ｓ１００）と、前記横枠及び前記縦枠に前記防煙シートを固定する工程（例えば、後述のシート固定工程Ｓ２００）と、前記締結部材を緩めて前記横枠及び前記縦枠の間に隙間を形成する工程（例えば、後述の隙間形成工程Ｓ３００）と、前記横枠と前記縦枠によって形成されるコーナーの内側から前記隙間に前記調整部材を挿入する工程（例えば、後述の調整板挿入工程Ｓ４００）と、前記横枠及び前記縦枠の一方を他方に前記締結部材で締結し直す工程（例えば、後述の再締結工程Ｓ５００）と、を含む組立方法に関する。
【発明の効果】
【００１１】
本発明の防煙パネル及びその組立方法によれば、シワや撓みの発生を防止するための防煙シートへのテンション付与作業を習熟度等に関係なく誰でも正確かつスムーズに行うことができる。
【図面の簡単な説明】
【００１２】
【図１】本発明の第１実施形態に係る防煙パネルの正面図である。
【図２】図１に示す矢印II−II方向に視た防煙パネルの断面図である。
【図３】（Ａ）は、図１に示す防煙パネルが備える調整板の正面図であり、（Ｂ）は、当該調整板の側面図である。
【図４】図１に示す防煙パネルの組立方法の手順を示すフローチャートである。
【図５】（Ａ）は、再締結工程前の防煙パネルの一部を拡大して示す正面図であり、（Ｂ）は、再締結工程における防煙パネルの一部を拡大して示す正面図である。
【図６】本発明の第２実施形態に係る防煙パネルの正面図である。
【図７】図６に示す矢印VII−VII方向に視た防煙パネルの断面図である。
【図８】（Ａ）は、図６に示す防煙パネルが備える調整板の正面図であり、（Ｂ）は、当該調整板の側面図である。
【発明を実施するための形態】
【００１３】
以下、本発明の実施形態について、図面を参照して詳細に説明する。なお、第２実施形態の説明において、第１実施形態と共通する構成については同一の符号を付し、対応する構成については同一の規則性に従って符号を付し、適宜その説明を省略する。また、第２実施形態の説明において、第１実施形態と共通する作用、効果については、適宜その説明を省略する。
【００１４】
［第１実施形態］
図１は、本発明の第１実施形態に係る防煙パネル１の正面図である。図２は、図１に示す矢印II−II方向に視た防煙パネル１の断面図である。図３（Ａ）は、図１に示す防煙パネル１が備える調整板７の正面図である。図３（Ｂ）は、調整板７の側面図である。
【００１５】
図１及び図２に示す防煙パネル１は、建物内部の天井、壁又は柱の間に、複数枚が横方向に並べて配置され、防煙区画を形成する防煙たれ壁に用いられるものである。なお、防煙パネル１の固定方法としては、天井や壁に固定される枠部材（図示省略）の内側に挿入し、この状態でネジ等によって締結を行って吊り下げ固定する方法等を採用できる。
【００１６】
防煙パネル１は、防煙シート２と、上下一対の横枠３，４と、左右一対の縦枠５と、４本のネジ（締結部材）６と、４枚の調整板７と、を備えている。
【００１７】
防煙シート２は、不燃性で可撓性を有する透明又は半透明の材料で構成された矩形状のシートである。防煙シート２の上端部は、両面テープ（図示省略）又は接着剤によって、上方に配置されている横枠３に固定されている。防煙シート２の下端部は、両面テープ（図示省略）又は接着剤によって、下方に配置されている横枠４に固定されている。防煙シート２の左右の側端部はそれぞれ、両面テープ（図示省略）によって、左右一対の縦枠５に固定されている。
【００１８】
上方に配置されている横枠３は、防煙シート２の上端部を両面テープ（図示省略）又は接着剤で固定する。この横枠３は、両端部に形成されて横方向に延びる一対のネジ穴（締結穴）３ａを有している。横枠３の端部には、縦枠５に形成されたネジ孔（締結孔）５ａに挿入されたネジ６がネジ穴３ａに螺合されていることで、縦枠５が締結されている。
【００１９】
下方に配置されている横枠４は、防煙シート２の下端部を両面テープ（図示省略）又は接着剤で固定する。この横枠４は、両端部に形成されて横方向に延びる一対のネジ穴（締結穴）４ａを有している。横枠４の端部には、縦枠５に形成されたネジ孔５ａに挿入されたネジ６がネジ穴４ａに螺合されていることで、縦枠５が締結されている。
【００２０】
左右一対の縦枠５は、防煙シート２の側端部を両面テープ（図示省略）又は接着剤で固定する。これら左右一対の縦枠５は、両端部に形成されて横方向に貫通する一対のネジ孔５ａを有している。このような左右一対の縦枠５は、上方のネジ孔５ａに挿入されたネジ６が、横枠３に形成されたネジ穴３ａに螺合されていることで、横枠３の端部に締結されている。また、左右一対の縦枠５は、下方のネジ孔５ａに挿入されたネジ６が、横枠４に形成されたネジ穴４ａに螺合されていることで、横枠４の端部に締結されている。
【００２１】
ネジ６は、縦枠５を横枠３，４に締結するものであり、タッピングねじ又は木ねじ等が採用されている。具体的に、ネジ６は、縦枠５の上方の端部に形成されたネジ孔５ａに挿入された状態で横枠３の端部に形成されたネジ穴３ａに螺合されていることで、縦枠５を横枠３に締結している。また、ネジ６は、縦枠５の下方の端部に形成されたネジ孔５ａに挿入された状態で横枠４の端部に形成されたネジ穴４ａに螺合されていることで、縦枠５を横枠４に締結している。
【００２２】
図３（Ａ）及び図３（Ｂ）に示すように、調整板７は、可撓性を有する材料で構成された矩形平板状の部材である。例えば、防煙シート２と同じ素材によって調整板７が形成することが望ましい。
【００２３】
図１及び図２に戻って説明する。調整板７は、縦枠５における中心側（横枠３，４と縦枠５によって構成されるコーナーの内側）から、横枠３，４及び縦枠５の間に挿入されている。このときの挿入方向は縦枠５の内側の見込面に沿ったものとなる。なお、縦枠５における中心側とは、縦枠５の長手方向の中央側と表現してもよいし、縦枠５において横枠３（又は横枠４）の連結部分から離れている側と表現してもよい。
【００２４】
調整板７は、横枠３，４及び縦枠５の間に挿入されている部分の長さが、ネジ６に突き当たる手前までの長さｌ（＜ネジ６に突き当たる長さＬ）である。なお、図２では、調整板７の上端部がはみ出るようになっているが、調整板７の全てが隙間に入り込むようにしてもよい。
【００２５】
次に、図４、図５（Ａ）及び図５（Ｂ）を用いて、防煙パネル１の組立方法の手順を説明する。図４は、防煙パネル１の組立方法の手順を示すフローチャートである。図５（Ａ）は、再締結工程Ｓ５００前の防煙パネル１の一部を拡大して示す正面図である。図５（Ｂ）は、再締結工程Ｓ５００における防煙パネル１の一部を拡大して示す正面図である。
【００２６】
図４に示すように、防煙パネル１の組立方法は、締結工程Ｓ１００と、シート固定工程Ｓ２００と、隙間形成工程Ｓ３００と、調整板挿入工程Ｓ４００と、再締結工程Ｓ５００と、を備えている。
【００２７】
締結工程Ｓ１００は、縦枠５を横枠３，４にネジ６で締結して、矩形の枠を組み立てる工程である。シート固定工程Ｓ２００は、矩形の枠に組み立てられた横枠３，４及び縦枠５に防煙シート２を両面テープ（図示省略）で固定する工程である。隙間形成工程Ｓ３００は、ネジ６を緩めて横枠３，４及び縦枠５の間に隙間を形成する工程である。調整板挿入工程Ｓ４００は、横枠３，４及び縦枠５の間に形成された隙間に調整板７を挿入する工程である。再締結工程Ｓ５００は、縦枠５を横枠３，４にネジ６で締結し直す工程である。
【００２８】
図５（Ａ）に示すように、再締結工程Ｓ５００前、防煙シート２にはシワや撓みが発生することがある。図５（Ｂ）に示すように、再締結工程Ｓ５００において、ネジ６をねじ込むことで、互いに略直角に配置されている横枠３，４及び縦枠５が、調整板７を支点として鈍角に開こうとするので、防煙シート２が全体的に上下左右に引っ張られる。
【００２９】
以上説明した上記実施形態によれば、以下のような効果を奏する。
防煙パネル１は、可撓性を有する防煙シート２と、防煙シート２の上端部又は下端部を固定する横枠３，４と、防煙シート２の側端部を固定し、横枠３，４とコーナーを形成する縦枠５と、横枠３，４及び縦枠５の一方である縦枠５の端部に形成されたネジ孔５ａに挿入された状態で横枠３，４及び縦枠５の他方である横枠３，４の端部に形成されたネジ穴３ａ，４ａに螺合されていることで、横枠３，４及び縦枠５の一方である縦枠５を他方である横枠３，４に締結しているネジ６と、横枠３，４と縦枠５の間でネジ６よりもコーナーの内側寄りに位置するように挿入される調整板７と、を備える。
また、防煙パネル１の組立方法は、横枠３，４及び縦枠５の一方である縦枠５を他方である横枠３，４にネジ６で締結する締結工程Ｓ１００と、横枠３，４及び縦枠５に防煙シート２を固定するシート固定工程Ｓ２００と、ネジ６を緩めて横枠３，４及び縦枠５の間に隙間を形成する隙間形成工程Ｓ３００と、横枠３，４と縦枠５によって形成されるコーナーの内側から横枠３，４及び縦枠５の間に形成された隙間に調整板７を挿入する調整板挿入工程Ｓ４００と、横枠３，４及び縦枠５の一方である縦枠５を他方である横枠３，４にネジ６で締結し直す再締結工程Ｓ５００と、を含む。
【００３０】
これにより、隙間を形成するときの調整量が定量化し、確実かつ容易に防煙シート２に適切な張力を付与することができる。従って、作業の習熟度に関わらず、誰が組み立てても張力のバラツキが生じない。防煙パネル１の組立作業が容易となるので、作業時間も短縮することができる。
【００３１】
また、本実施形態では、調整板７は、平板状の形状を有すると共に、横枠３，４及び縦枠５の間に挿入されている部分の長さが、ネジ６に突き当たる手前までの長さｌである。
【００３２】
これにより、再締結工程Ｓ５００において、互いに略直角に配置されている横枠３，４及び縦枠５が鈍角に開こうとする際に支点となる調整板７と、力点となるネジ６との間に距離を設けることができる。結果、横枠３，４及び縦枠５を確実に開くことができ、ひいては防煙シート２を確実に引っ張ることができる。
【００３３】
［第２実施形態］
図６は、本発明の第２実施形態に係る防煙パネル１１の正面図である。図７は、図６に示す矢印VII−VII方向に視た防煙パネル１１の断面図である。図８（Ａ）は、図６に示す防煙パネル１１が備える調整板１７の正面図である。図８（Ｂ）は、調整板１７の側面図である。
【００３４】
図６及び図７に示すように、本実施形態に係る防煙パネル１１は、調整板７に代えて調整板１７を備えている点が第１実施形態と相違する。
【００３５】
図８（Ａ）及び図８（Ｂ）に示すように、調整板１７は、金属材料で構成され、一端部が薄く他端部に向かって厚くある楔形（側面視でテーパ形状）で、かつ、一端部に切欠き１７ａが形成されている形状を有する。調整板１７は、例えば、アルミ等の金属材料によって構成することが望ましい。
【００３６】
図６及び図７に戻って説明する。調整板１７は、一端部の側から横枠３，４及び縦枠５の間に挿入されていることで、切欠き１７ａの内側にネジ６を配置させている。
【００３７】
以上説明した上記実施形態によれば、以下のような効果を奏する。
本実施形態では、調整板１７は、一端部が薄く他端部に向かって厚くなる楔形で、かつ、一端部に切欠き１７ａが形成されている形状を有すると共に、一端部の側から横枠３，４及び縦枠５の間に挿入されていることで、切欠き１７ａの内側にネジ６を配置させている。
【００３８】
これにより、調整板１７が楔形であるので、調整板挿入工程Ｓ４００における調整板１７の挿入が容易となるので、作業時間を更に短縮することができる。また、差込量も切欠き１７ａの内側にネジ６が位置するので、調整板１７の差込量も定量化できる。
【００３９】
以上、本発明の防煙パネル１，１１の好ましい実施形態について説明したが、本発明は、上述した実施形態に制限されるものではなく、適宜変更が可能である。
【００４０】
例えば、横枠３，４に縦枠５を締結する態様に代えて、縦枠５に横枠３，４を締結するように構成してもよい。この場合、横枠３，４は、端部のネジ孔に挿入されたネジ６が、縦枠５に形成されたネジ穴に螺合されていることで、縦枠５の端部に締結されていることになる。
【００４１】
第１実施形態では、調整板７は可撓性を有する材料で形成されているが、これに限定されない。例えば、可撓性を有さない板状部材を用いることができる。また、第２実施形態では、調整板１７は、金属材料で構成されているが、第１実施形態と同様の可撓性を有する材料で構成してもよい。
【００４２】
また、上記実施形態に、先行技術と同様に、現場での施工時に調整を行うために調整用のイモネジ（調整ネジ）を追加する構成としてもよい。この構成においても、調整板７又は調整板１７により、工場で防煙パネル１，１１を組み立てる際の作業者による隙間のバラツキをなくすことができ、従来技術に比べ出荷時の防煙パネル１，１１の品質をより向上させることができる。
【００４３】
上記実施形態では、防煙シート２を横枠３，４及び縦枠５に固定するための手段として「両面テープ又は接着剤」を用いたが、この内容に限定されない。防煙たれ壁の設置環境等により両面テープ又は接着剤と併せてリベットで固定することもできる。リベットは、高温であっても両面テープ又は接着剤に比べて溶けにくいので、耐温度性能向上という点ではより好ましい。
【００４４】
また、上記実施形態において、工場組立時に、防煙シートの材質（塩ビ系かエステル系かの別）、組立て時期（夏か冬か）、設置する環境によって、調整板の枚数を適宜加減して張力調整を前以って行うことが可能である。
【００４５】
また、上記実施形態において、現場施工時又は引渡し後に発生した防煙シートの設置環境等による伸びによるシワを調整するものとして、既に配設されている調整板に加えて調整板を複数枚重ねて配設し、ネジを締め付けることでより防煙シートに張力を付与させることが可能である。
【符号の説明】
【００４６】
１，１１  防煙パネル
２  防煙シート
３  横枠
３ａ  ネジ穴
４  横枠
４ａ  ネジ穴
５  縦枠
５ａ  ネジ孔
６  ネジ
７，１７  調整板（調整部材）
１７ａ  切欠き
Ｓ１００  締結工程
Ｓ２００  シート固定工程
Ｓ３００  隙間形成工程
Ｓ４００  調整板挿入工程
Ｓ５００  再締結工程
【図１】
2019017841.tif 000003
【図２】
2019017841.tif 000004
【図３】
2019017841.tif 000005
【図４】
2019017841.tif 000006
【図５】
2019017841.tif 000007
【図６】
2019017841.tif 000008
【図７】
2019017841.tif 000009
【図８】
2019017841.tif 000010